(57)【特許請求の範囲】
【請求項１】
排水を貯留するドレンタンク（５２）の受け構造であって、
前記ドレンタンク（５２）が収納される筐体（３２）の内部に排水管（４４）の出口（４４ｂ）が位置し、
この排水管（４４）の出口下方に臨む筐体底板（３０）に挿通孔（３０ａ，５４）が穿設され、
前記挿通孔（３０ａ，５４）を塞ぐ支持板（４８ａ）を備えた受け部材（４８）が前記底板（３０）に着脱自在に配設され、
前記ドレンタンク（５２）を受け部材（４８）に支持させることで、該タンク（５２）が前記排水管（４４）の出口下方に位置決めされると共に、
前記筐体（３２）から受け部材（４８）およびドレンタンク（５２）を取外した状態で、前記挿通孔（３０ａ，５４）に挿通した排水配管（４６）を前記排水管（４４）の出口（４４ｂ）に接続し得るよう構成した
ことを特徴とするドレンタンクの受け構造。
【請求項２】
前記受け部材（４８）の支持板（４８ａ）には、その一側縁に開放する切欠部（５６）が形成され、前記挿通孔（５４）に挿通された前記排水配管（４６）を切欠部（５６）に嵌め込んだ状態で該受け部材（４８）を前記底板（３０）に配設することで、挿通孔（５４）と排水配管（４６）との間に生ずる隙間を支持板（４８ａ）で塞ぐよう構成した請求項１記載のドレンタンクの受け構造。
【発明の詳細な説明】
【０００１】
【発明の属する技術分野】
この発明は、ドレンタンクの受け構造に関し、更に詳細には、冷蔵庫や冷凍庫等で生じた排水を、機内に配置したドレンタンクに貯留したり、あるいは排水配管を介して機外に直接排出し得るよう構成した機械装置に採用されるドレンタンクの受け構造に関するものである。
【０００２】
【従来の技術】
冷蔵庫や冷凍庫等では、庫内の霜等による排水や、庫内に配設された冷却器からの排水を、装置下部に画成した機械室に配置したドレンタンクに貯留している。このドレンタンクの受け構造を簡単に述べれば、図９に示す如く、機械室の底板１０に、平面コ字状に形成された受け部材１２が複数のネジ１４を介して位置決め固定され、この受け部材１２の開放側（前側）からドレンタンク１６を収容することで、該ドレンタンク１６が排水を案内する排水管１８における出口１８ａの直下に臨むよう位置決めされる。そして排水管１８の出口１８ａから排出された排水がドレンタンク１６に所要量貯留したときには、該ドレンタンク１６を受け部材１２から取出して機外で排水を捨てることができる。
【０００３】
前記冷蔵庫や冷凍庫等では、その使用状況や排水の量等によって、前記排水をドレンタンク１６に貯留することなく、前記排水管１８に接続した排水配管を介して機外に直接排出する構成を選択し得るようになっている。すなわち、前記排水管１８における出口１８ａの直下に臨む底板１０に挿通孔１０ａを穿設し、機外に一端が臨む排水配管を挿通孔１０ａに挿通してその他端を排水管１８の出口１８ａに接続する。これにより、冷蔵庫や冷凍庫等の機内で発生した排水は、排水管１８および排水配管を介して機外に直接排出される。
【０００４】
【発明が解決しようとする課題】
前述したように、排水の処理が、ドレンタンク１６での処理と排水配管での処理とを選択し得る構造では、ドレンタンク１６を使用する場合には、前記挿通孔１０ａは該タンク１６で塞がれるから、挿通孔１０ａからゴキブリやネズミ等が機械室に侵入するのを防止し得る。しかし、例えば清掃等に際してドレンタンク１６を受け部材１２から取出したときには、前記挿通孔１０ａが露出してしまい、該挿通孔１０ａからゴキブリやネズミ等が機械室に侵入し、該機械室に収納されている冷凍装置等の故障を招くおそれがあった。
【０００５】
前記挿通孔１０ａは、その開口寸法が小さいと、排水配管の取付けや取外し作業が困難となる。これに対して、挿通孔１０ａの開口寸法を排水配管の外径よりかなり大きく設定すれば、該排水配管の取付けや取外し作業の容易化は図られるが、排水配管を挿通孔１０ａに挿通した状態で、該排水配管と挿通孔１０ａとの間には大きな隙間を生じてしまい、この隙間からゴキブリやネズミ等が機械室に侵入して冷凍装置等の故障を招くおそれがあった。そこで従来は、ゴキブリやネズミ等の侵入防止を優先して、挿通孔１０ａの開口寸法が小さく設定されているのが現状である。
【０００６】
【発明の目的】
本発明は、前述した従来の技術に内在している前記欠点に鑑み、これを好適に解決するべく提案されたものであって、ドレンタンクを使用しない場合であっても、筐体内へのゴキブリやネズミ等の侵入を確実に防止し得るドレンタンクの受け構造を提供することを目的とする。
【０００７】
【課題を解決するための手段】
前記課題を克服し、所期の目的を達成するため本発明は、排水を貯留するドレンタンクの受け構造であって、
前記ドレンタンクが収納される筐体の内部に排水管の出口が位置し、
この排水管の出口下方に臨む筐体底板に挿通孔が穿設され、
前記挿通孔を塞ぐ支持板を備えた受け部材が前記底板に着脱自在に配設され、前記ドレンタンクを受け部材に支持させることで、該タンクが前記排水管の出口下方に位置決めされると共に、
前記筐体から受け部材およびドレンタンクを取外した状態で、前記挿通孔に挿通した排水配管を前記排水管の出口に接続し得るよう構成したことを特徴とする。
【０００８】
【発明の実施の形態】
次に、本発明に係るドレンタンクの受け構造につき、好適な実施例を挙げて、添付図面を参照しながら以下説明する。
【０００９】
【第１実施例】
図１は、第１実施例に係るドレンタンクの受け構造を示す概略斜視図であり、図２は、ドレンタンクの受け構造が採用される冷蔵庫を示すものである。この冷蔵庫２０は、内装板、外装板およびその間に配設されるウレタン等の発泡断熱材からなる断熱箱体２２の下部に、前後、左右の各パネル２４，２６，２８，２８および底板３０で構成される筐体３２が配置され、該筐体３２の内部に、圧縮機や凝縮器等を備える冷凍装置３４が収納される機械室３６が画成されている。前記断熱箱体２２の内部背面に冷却ダクト３８が配設され、該ダクト３８の内部には、冷凍装置３４から冷媒が循環供給される冷却器４０および送風ファン４２が配設され、冷却器４０で冷却された冷気を送風ファン４２により冷却ダクト３８から庫内側（被冷蔵物が収納される室）に吹出すよう構成される。
【００１０】
図２に示す如く、前記断熱箱体２２の後部および底部の断熱材内に排水管４４が配設されており、その入口４４ａが冷却ダクト３８に連通して前記冷却器４０からの排水が流入するよう構成される。また排水管４４の出口４４ｂは、前記機械室３６の内部における前側上方において下向きに位置し、前記排水を機械室３６に導びくようになっている。
【００１１】
前記排水管４４における出口４４ｂの直下に臨む前記底板３０には、排水を機外に直接排出するための排水配管４６の挿通を許容する挿通孔３０ａが穿設されている（図３参照）。また底板３０には、挿通孔３０ａを塞ぐ位置に受け部材４８が複数のネジ５０を介して着脱自在に配設されるようになっている。この受け部材４８は、図１に示す如く、矩形状の支持板４８ａと、該支持板４８ａの左右および後端縁に亘って立設された平面コ字状のガイド４８ｂとから構成され、支持板４８ａには複数のネジ５０の挿通を許容する複数の通孔４８ｃが所要位置に穿設されている。そして、受け部材４８の各通孔４８ｃを、底板３０に形成された対応のネジ孔３０ｂに整列するよう位置決め載置した状態で、通孔４８ｃに挿通したネジ５０をネジ孔３０ｂに螺挿することで、当該受け部材４８が底板上に位置決め固定される。このとき前記挿通孔３０ａは、受け部材４８の支持板４８ａで塞がれ、該挿通孔３０ａを介して機械室３６（筐体内）にゴキブリやネズミ等が侵入するのを防止するよう構成される。
【００１２】
前記排水管４４の出口４４ｂから排出される排水を貯留するドレンタンク５２は、図１に示す如く、前記受け部材４８におけるガイド４８ｂの内部寸法より若干小さい上方に開放する箱状の本体５２ａと、該本体５２ａの前面に設けられた取っ手５２ｂとから構成される。そして、ドレンタンク５２の本体５２ａを、受け部材４８の支持板４８ａ上に載置すると共にガイド４８ｂにより当接支持させることで、図２に示す如く、ドレンタンク５２は排水管４４における出口４４ｂの直下に臨むよう位置決めされる。従って、排水管４４の出口４４ｂから滴下する排水はドレンタンク５２に確実に受けられて貯留され、該排水が機械室内を濡らすことはない。なお、ドレンタンク５２の底部には、前記受け部材４８を固定するネジ５０の頭部と干渉しない凹部が設けられ、支持板４８ａにドレンタンク５２を載置した際に傾くことがないよう構成される。また凹部およびネジ５０の頭部が、該ドレンタンク５２のガイドとして機能し、ドレンタンク５２が支持板４８ａ上を正確に移動するようになっている。ちなみに、ネジ５０を皿ネジとして支持板４８ａの表面からネジ５０の頭部が突出しないよう構成すれば、ドレンタンク５２の底部を平坦とすることが可能である。
【００１３】
【第１実施例の作用】
次に、第１実施例に係るドレンタンクの受け構造の作用につき説明する。前記冷却器４０で発生した排水をドレンタンク５２で処理する場合は、前記底板３０に受け部材４８を複数のネジ５０を介して位置決め固定する。このとき、底板３０に穿設されている前記挿通孔３０ａは、受け部材４８の支持板４８ａで塞がれる。そして、この受け部材４８の支持板４８ａ上にドレンタンク５２を載置してガイド４８ｂに当接支持させることで、該タンク５２は前記排水管４４における出口４４ｂの直下に位置決めされる（図２参照）。従って、前記冷却器４０で発生して排水管４４により案内される排水は、該排水管４４の出口４４ｂからドレンタンク５２内に確実に滴下して貯留される。ドレンタンク５２に所要量の排水が貯留されたときには、該タンク５２を受け部材４８および機械室３６から取出し、機外で排水を捨てることができる。
【００１４】
前述したように、前記ドレンタンク５２を使用して排水を処理する場合は、該タンク５２が受け部材４８に支持されているか否かに拘らず、前記筐体３２の底板３０に穿設されている前記挿通孔３０ａは受け部材４８の支持板４８ａで塞がれている。従って、清掃等に際してドレンタンク５２を受け部材４８から取出しても、挿通孔３０ａからゴキブリやネズミ等が機械室３６に侵入するのを確実に防止することができ、前記冷凍装置３４がゴキブリやネズミ等の侵入に起因して故障するのを防ぐことができる。
【００１５】
次に、前記冷却器４０で発生した排水を機外に直接排出する場合は、図３に示す如く、前記受け部材４８を底板３０から取外してドレンタンク５２と共に機外に取出し、一端が機外に臨む排水配管４６を前記挿通孔３０ａに挿通し、その機械室内に臨む他端を前記排水管４４の出口４４ｂに接続する。これにより、冷却器４０で発生した排水は、排水管４４および排水配管４６を介して機外に直接排出される。
【００１６】
【第２実施例】
図４〜図６は、第２実施例に係るドレンタンクの受け構造を示すものであって、その基本構成は第１実施例と同一であるので、異なる部分についてのみ説明すると共に、同一部材には同じ符号を付して示す。
【００１７】
第２実施例では、前記筐体３２の底板３０に、排水配管４６の取付けや取外し作業の容易化を図るために、該配管４６の外径よりかなり大きな開口寸法に設定した矩形状の挿通孔５４が穿設されている。なお、挿通孔５４の後端位置は、図６に示す如く、該挿通孔５４に挿通された排水配管４６の後端が略接する位置となるよう設定される。また前記受け部材４８の支持板４８ａには、図４に示す如く、ガイド４８ｂが設けられていない前端縁（一端縁）に開放するＵ字状の切欠部５６が形成され、該切欠部５６に排水配管４６が嵌め込み可能に設定される。
【００１８】
前記受け部材４８を筐体３２の底板３０に位置決め固定するために設けられた支持板４８ａの通孔４８ｃおよび底板３０のネジ孔３０ｂは、図４および図５に示すように、受け部材４８の向きを前後反転した何れの姿勢でもネジ止め固定が可能な位置に設けられている。すなわち、第２実施例の受け部材４８は、前記切欠部５６の開放端を前向きとした姿勢および後向きとした姿勢の何れの姿勢でも、前記底板３０上に位置決め固定されるよう構成してある。また、切欠部５６の開放端を前向きとした姿勢で受け部材４８を底板３０に位置決め固定した際に、該切欠部５６は、前記挿通孔５４を露出させないよう設定される。更に、切欠部５６の開放端を後向きとした姿勢で受け部材４８を底板３０に位置決め固定した際に、該切欠部５６の内周面が、挿通孔５４に挿通されている排水配管４６の外周面に略接するよう設定される（図６参照）。
【００１９】
【第２実施例の作用】
次に、第２実施例に係るドレンタンクの受け構造の作用につき説明する。前記冷却器４０で発生した排水をドレンタンク５２で処理する場合は、前記底板３０に受け部材４８を、図４に示すように、前記切欠部５６の開放端を前方に向けた姿勢で位置決め載置して、複数のネジ５０を介して固定する。このとき、底板３０に穿設されている前記挿通孔５４は、受け部材４８の支持板４８ａで完全に塞がれる。この受け部材４８の支持板４８ａ上にドレンタンク５２を載置してガイド４８ｂに当接支持させることで、該タンク５２は前記排水管４４における出口４４ｂの直下に位置決めされる。従って、前記冷却器４０で発生して排水管４４により案内される排水は、該排水管４４の出口４４ｂからドレンタンク５２内に確実に滴下して貯留される。
【００２０】
第２実施例においても、前記ドレンタンク５２を使用して排水を処理する場合は、該タンク５２が受け部材４８に支持されているか否かに拘らず、前記筐体３２の底板３０に穿設されている前記挿通孔５４は受け部材４８の支持板４８ａで塞がれている。従って、清掃等に際してドレンタンク５２を受け部材４８から取出しても、挿通孔５４からゴキブリやネズミ等が機械室３６に侵入するのを確実に防止することができ、冷凍装置３４がゴキブリやネズミ等の侵入に起因して故障することはない。
【００２１】
次に、前記冷却器４０で発生した排水を機外に直接排出する場合は、図５に示す如く、前記受け部材４８を底板３０から取外した状態で、一端が機外に臨む排水配管４６を挿通孔５４に挿通し、その他端を前記排水管４４の出口４４ｂに接続する。前記受け部材４８の切欠部５６における開放端を後方に向け、該切欠部５６に排水配管４６を嵌め込んだ状態で、該受け部材４８を底板３０にネジ止め固定する。このときに、図６に示す如く、排水配管４６の後端は挿通孔５４の後端に略接すると共に、切欠部５６の内周面が排水配管４６の外周面に略接するので、挿通孔５４と排水配管４６との間に生ずる隙間は受け部材４８の支持板４８ａにより塞がれる。従って、排水を直接機外に排出処理する場合においても、挿通孔５４と排水配管４６との隙間からゴキブリやネズミ等が侵入するのを確実に防止することができる。しかも、挿通孔５４の開口寸法を排水配管４６に対してかなり大きく設定し得るから、排水配管４６の取付けや取外し作業も容易となる。
【００２２】
【変形例】
図７および図８は、変形例に係るドレンタンクの受け構造を示すものであって、前述した実施例と異なる部分についてのみ説明すると共に、同一部材には同じ符号を付して示す。
【００２３】
この変形例に係る受け構成では、前記排水管４４における出口４４ｂの直下に位置する筐体３２の底板３０に、排水配管４６の挿通を許容する矩形状の挿通孔５８が穿設されると共に、ドレンタンク５２の底面に、該挿通孔５８に上方から嵌挿可能な凸部６０が突設されている。すなわち、変形状においてドレンタンク５２を用いて排水処理する場合は、その凸部６０を挿通孔５８に上方から嵌挿することで、該タンク５２を排水管４４における出口４４ｂの直下に位置決めし得ると共に、挿通孔５８をドレンタンク自体で塞いでゴキブリやネズミ等の侵入を確実に防止することができる。またドレンタンク５２を取外すことで、排水を機外に直接排出するための排水配管４６を挿通孔５８に挿通して排水管４４に接続し得る。このように変形例においては、ドレンタンク５２を位置決めする受け部材４８を省略することができ、部品点数を少なくしてコストを低廉に抑えることが可能となる。なお、凸部６０および挿通孔５８の形状は、図示例に限定されるものでなく、凸部６０の嵌挿を容易にするためにその外周をテーパ形状としてもよい。
【００２４】
本発明に係るドレンタンクの受け構造は、実施例で示した冷蔵庫に限らず、機内に発生した排水を処理する必要のある機械装置であれば、冷凍庫や製氷機等にも採用可能である。
【００２５】
【発明の効果】
以上説明した如く、本発明に係るドレンタンクの受け構造によれば、受け部材からドレンタンクを取外しても、底板に穿設されている挿通孔は受け部材の支持板で塞がれているから、該挿通孔からゴキブリやネズミ等の侵入を確実に防止し、筐体内に設置される各種の機械が故障するのを防止し得る。
【００２６】
また、排水を機外に直接排出するべく排水配管を排水管に接続した場合に、受け部材に形成した切欠部に排水配管を嵌め込んだ状態で該受け部材を底板に配設することで、排水配管と挿通孔との間にできる隙間を受け部材の支持板で塞ぐことができ、隙間からのゴキブリやネズミ等の侵入を確実に防止して、筐体内に設置される各種の機械が故障するのを防ぎ得る。すなわち、挿通孔の開口寸法を大きく設定することができ、排水配管の取付けや取外し作業の容易化を図り得る利点を有する。
【図面の簡単な説明】
【図１】本発明の第１実施例に係るドレンタンクの受け構造の概略斜視図である。
【図２】第１実施例に係るドレンタンクの受け構造が採用される冷蔵庫をドレンタンクを配設した状態で示す概略縦断側面図である。
【図３】第１実施例に係るドレンタンクの受け構造が採用される冷蔵庫を排水管に排水配管を接続した状態で示す概略縦断側面図である。
【図４】本発明の第２実施例に係るドレンタンクの受け構造の概略斜視図である。
【図５】第２実施例の受け構造において排水管に排水配管を接続した状態で示す概略斜視図である。
【図６】第２実施例の受け構造において排水管に排水配管を接続し、受け部材により隙間を塞いでいる状態を示す縦断側面図である。
【図７】変形例に係るドレンタンクの受け構造の概略斜視図である。
【図８】変形例の受け構造においてドレンタンクで挿通孔を塞いでいる状態を示す縦断側面図である。
【図９】従来の技術に係るドレンタンクの受け構造の概略斜視図である。
【符号の説明】
３０  底板，３０ａ  挿通孔，３２  筐体，４４  排水管，４４ｂ  出口
４６  排水配管，４８  受け部材，４８ａ  支持板，５２  ドレンタンク
５４  挿通孔，５６  切欠部
【図１】
0003630588.tif 000002
【図２】
0003630588.tif 000003
【図３】
0003630588.tif 000004
【図４】
0003630588.tif 000005
【図５】
0003630588.tif 000006
【図６】
0003630588.tif 000007
【図７】
0003630588.tif 000008
【図８】
0003630588.tif 000009
【図９】
0003630588.tif 000010